【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
複数のフレームの静止画像データを含む動画像をプレビューする方法であって、前記方法は：
指定フレーム番号として機能させるために、前記動画像の発行されたフレーム番号を、予め設定されたアドレスに基づいて、インターネットから取得するステップと；
前記動画像の発行されたフレーム番号を取得できない場合、ローカルに記憶された前記動画像のビルトインフレーム番号を、前記指定フレーム番号として用いるステップと；
前記動画像のビルトインフレーム番号が見つからない場合、デフォルトのフレーム番号を、前記動画像の前記指定フレーム番号として用いるステップと；
前記指定フレーム番号を持つ少なくとも１つのフレームの静止画像データを前記動画像から抽出するステップ（１１０）と：
前記抽出した静止画像データを表示するステップ（１２０）と；を備える、
動画像のプレビュー方法。
【請求項２】
前記指定フレーム番号において、０又は−１は前記動画像の静止画像データの最終フレームを表し；
前記指定フレーム番号内のＮは、Ｎが前記動画像の最大フレーム番号よりも大きくない場合には、前記動画像の静止画像データの第Ｎフレームを表し、Ｎが前記動画像の最大フレーム番号よりも大きい場合には、前記動画像の静止画像データの最終フレームを表し；
Ｎは自然数である、
請求項１に記載のプレビュー方法。
【請求項３】
前記方法は、前記抽出した静止画像データに従ってプレビュー画像を生成し、前記生成したプレビュー画像をキャッシュするステップを更に備え、
前記方法は、前記動画像をプレビューするときに、前記動画像のプレビュー画像が前記キャッシュ内に見つかった場合には、前記キャッシュされたプレビュー画像を表示するステップを更に備える、
請求項１に記載のプレビュー方法。
【請求項４】
前記動画像のプレビュー画像が前記キャッシュ内に見つからない場合には、前記方法は：
表現パッケージ内のネットワークアドレスから、前記動画像の発行されたフレーム番号を要求するステップ（３０４）と；
発行されたフレーム番号が所定時間内に受信された場合（３０５）、且つ、前記発行されたフレーム番号が前記動画像の最大フレーム番号より大きい場合には、前記発行されたフレーム番号が、指定フレーム番号として用いられるステップ（３０６）と；
発行されたフレーム番号が所定時間内に受信されない場合（３０５）、デフォルトのフレーム番号が、指定フレーム番号として用いられるステップ（３０７）と；
１つ又は複数の、（３０８）のフレーム番号を有する静止画像データを抽出するステップと；
前記抽出された静止画像データを用いて、前記動画像のプレビューファイルを生成し、キャッシュ領域に前記プレビューファイルを格納するステップ（３１０）、又は、前記抽出された静止画像データを表示するステップ（３０９）と；を更に備える、
請求項３に記載の方法。
【請求項５】
前記動画像は、表現パッケージ内に動的表現を含み、
前記表現パッケージのインストールファイルは、前記動的表現に対応し、前記指定フレーム番号として用いられるビルトインフレーム番号を含む、
請求項１に記載のプレビュー方法。
【請求項６】
表現パッケージを表示する方法であって、前記表現パッケージは複数のフレームの静止画像データを含む少なくとも１つの動的表現を有し、前記方法は：
指定フレーム番号として機能させるために、前記動的表現の発行されたフレーム番号を、予め設定されたアドレスに基づいて、インターネットから取得するステップと；
前記動的表現の発行されたフレーム番号を取得できない場合、前記表現パッケージに含まれる前記動的表現のビルトインフレーム番号を、前記指定フレーム番号として用いるステップと；
前記動的表現のビルトインフレーム番号が見つからない場合、デフォルトのフレーム番号を前記動的表現の前記指定フレーム番号として用いるステップと；
前記指定フレーム番号を持つ少なくとも１つのフレームの静止画像データを表示対象の動的表現から抽出するステップ（２０１）と；
前記抽出した静止画像データを用いて、前記動的表現を表示するステップ（２２０）と；を備える、
表現パッケージの表示方法。
【請求項７】
前記方法は、前記動的表現に対応するプレビュー表現を前記抽出した静止画像データに従って生成し、前記生成したプレビュー表現をキャッシュするステップを更に備え、
前記方法は、前記表示対象の動的表現に対応するプレビュー表現が前記キャッシュ内に見つかった場合には、前記プレビュー表現を用いて前記動画表現を表示するステップを更に備える、
請求項６に記載の表示方法。
【請求項８】
前記動的表現のプレビュー表現が前記キャッシュ内に見つからない場合には、前記方法は：
表現パッケージ内のネットワークアドレスから、前記動的表現の発行されたフレーム番号を要求するステップ（３０４）と；
発行されたフレーム番号が所定時間内に受信された場合（３０５）、且つ、前記発行されたフレーム番号が前記動的表現の最大フレーム番号よりも大きい場合には、前記発行されたフレーム番号が、指定フレーム番号として用いられるステップ（３０６）と；
発行されたフレーム番号が所定時間内に受信されない場合（３０５）、デフォルトのフレーム番号が、指定フレーム番号として用いられるステップ（３０７）と；
１つ又は複数の、（３０８）のフレーム番号を有する静止画像データを抽出するステップと；
前記抽出された静止画像データを用いて、前記動的表現のプレビューファイルを生成し、キャッシュ領域に前記プレビューファイルを格納するステップ（３１０）、又は、前記抽出された静止画像データを表示するステップ（３０９）と；を更に備える、
請求項７に記載の方法。
【請求項９】
複数フレームの静止画像データを含む動画像をプレビューするデバイスであって、前記デバイスは：
請求項１〜請求項５のいずれか１項に記載の方法を実行するように構成された複数のユニット（部）を備える、
動画像のプレビューデバイス。
【請求項１０】
表現パッケージを表示するデバイスであって、前記表現パッケージは、複数のフレームの静止画像データを備える少なくとも１つの動的表現を有し、前記デバイスは：
請求項６〜請求項８のいずれか１項に記載の方法を実行するように構成された複数のユニット（部）を備える、
表現パッケージの表示デバイス。
【手続補正２】
【補正対象書類名】明細書
【補正対象項目名】００５８
【補正方法】変更
【補正の内容】
【００５８】
当業者は、本願の実施の形態を、方法、システム、又はコンピュータプログラム製品として提供できることを理解されたい。したがって、本願は、完全なハードウェアの実施の形態、完全なソフトウェアの実施の形態、又は、ソフトウェアとハードウェアの組み合わせの実施の形態として実施できる。更に、本願は、コンピュータで使用可能なプログラムコードを含むコンピュータで使用可能な１つ以上の記憶媒体上（磁気ディスクメモリ、ＣＤ−ＲＯＭ、光学メモリ等を非限定的に含む）で実施されるコンピュータプログラム製品の形態であってもよい。
［第１の局面］
いくつかのフレームの静止画像データを含む動画像をプレビューする方法であって、前記方法は：
指定フレーム番号を持つ少なくとも１つのフレームの静止画像データを前記動画像から抽出するステップと：
前記抽出した静止画像データを表示するステップと；を備える、
動画像をプレビューする方法。
［第２の局面］
前記指定フレーム番号は、インターネットから取得した前記動画像の発行されたフレーム番号、前記動画像のローカルに記憶されているビルトインフレーム番号、又はデフォルトのフレーム番号を含む、
第１の局面に記載の方法。
［第３の局面］
前記方法は：
前記動画像の前記発行されたフレーム番号を、予め設定されたアドレスに基づいて前記インターネットから取得し、前記指定フレーム番号として機能させるステップと；
前記動画像の前記発行されたフレーム番号を取得できない場合には、ローカルに記憶された前記動画像のビルトインフレーム番号を前記指定フレーム番号として用いるステップと；
前記動画像の前記ビルトインフレーム番号が見つからない場合には、前記デフォルトのフレーム番号を前記動画像の前記指定フレーム番号として用いるステップと；を更に備える、
第２の局面に記載の方法。
［第４の局面］
前記指定フレーム番号において、０又は−１は前記動画像の前記静止動画データの最終フレームを表し、前記指定フレーム番号内のＮは、Ｎが前記動画像の最大フレーム番号よりも大きくない場合には、前記動画像の静止画像データの第Ｎフレームを表し、又、Ｎが前記動画像の前記最大フレーム番号よりも大きい場合には、前記動画像の前記静止動画データの最終フレームを表し、Ｎは自然数である、
第１の局面に記載の方法。
［第５の局面］
前記方法は、前記抽出した静止画像データに従ってプレビュー画像を生成し、前記生成したプレビュー画像をキャッシュするステップを更に備え、
前記方法は、前記動画像をプレビューするときに、前記動画像の前記プレビュー画像が前記キャッシュ内に見つかった場合には、前記キャッシュされたプレビュー画像を表示するステップを更に備える、
第１の局面に記載の方法。
［第６の局面］
前記動画像は、表現パッケージ内に動的表現を含み、
前記表現パッケージのインストールファイルは、前記動的表現に対応し、前記指定フレーム番号として用いられるビルトインフレーム番号を含む、
第１の局面に記載の方法。
［第７の局面］
表現パッケージを表示する方法であって、前記表現パッケージはいくつかのフレームの静止画像データを含む少なくとも１つの動的表現を有し、前記方法は：
指定フレーム番号を持つ少なくとも１つのフレームの静止画像データを表示対象の動的表現から抽出するステップと；
前記抽出した静止画像データを用いて、前記動的表現を表示するステップと；を備える、
表現パッケージを表示する方法。
［第８の局面］
前記指定フレーム番号は、インターネットから取得した前記動的表現の発行されたフレーム番号、前記表現パッケージに含まれる前記動的表現のビルトインフレーム番号、又は、デフォルトフレーム番号を含む、
第７の局面に記載の方法。
［第９の局面］
前記方法は、前記動的表現の前記発行されたフレーム番号を、予め設定されたアドレスに基づいて前記インターネットから取得して、前記指定フレーム番号として機能させるステップを備え、前記動的表現の前記発行されたフレーム番号が取得できない場合には、前記表現パッケージに含まれる前記動的表現の前記ビルトインフレーム番号を前記指定フレーム番号として用い、前記動的表現の前記ビルトインフレーム番号が見つからない場合には、前記デフォルトのフレーム番号を前記動的表現の前記指定フレーム番号として用いる、
第８の局面に記載の方法。
［第１０の局面］
前記方法は、前記動的表現に対応するプレビュー表現を前記抽出した静止画像データに従って生成し、前記生成したプレビュー表現をキャッシュするステップを更に備え、
前記方法は、前記表示対象の動的表現に対応するプレビュー表現が前記キャッシュ内に見つかった場合には、前記プレビュー表現を用いて前記動画表現を表示するステップを更に備える、
第７の局面に記載の方法。
［第１１の局面］
いくつかのフレームの静止画像データを含む動画像をプレビューするデバイスであって、前記デバイスは：
指定フレーム番号を持つ少なくとも１つのフレームの静止画像データを前記動画像から抽出するように構成された画像データ抽出部と；
前記抽出した静止画像データを表示するように構成された画像データ表示部と；を備える、
動画像をプレビューするデバイス。
［第１２の局面］
前記指定フレーム番号は、前記インターネットから取得した動画像の発行されたフレーム番号、ローカルに記憶されている前記動画像のビルトインフレーム番号、又は、デフォルトのフレーム番号を含む、
第１１の局面に記載のデバイス。
［第１３の局面］
前記デバイスは指定フレーム番号部を更に備え、
前記指定フレーム番号部は、前記動画像の前記発行されたフレーム番号を、予め設定されたアドレスに基づいて前記インターネットから取得し、前記指定フレーム番号として機能させ、前記動画像の前記発行されたフレーム番号を取得できない場合には、前記ローカルに記憶された前記動画像のビルトインフレーム番号を前記指定フレーム番号として用い、前記動画像の前記ビルトインフレーム番号が見つからない場合には、前記デフォルトのフレーム番号を前記動画像の前記指定フレーム番号として用いるように構成された、
第１２の局面に記載のデバイス。
［第１４の局面］
前記指定フレーム番号内で、０又は−１は前記動画像の前記静止画像データの前記最終フレームを表し、前記指定フレーム番号内のＮは、Ｎが前記動画像の前記最大フレーム番号よりも大きくない場合には、前記動画像の前記静止画像データの第Ｎフレームを表し、Ｎが前記動画像の前記最大フレーム番号よりも大きい場合には、前記動画像の前記静止画像データの最終フレームを表し、Ｎは自然数である、
第１１の局面に記載のデバイス。
［第１５の局面］
前記デバイスは、前記抽出された静止画像データに従ってプレビュー画像を生成し、前記生成されたプレビュー画像をキャッシュするように構成されたプレビュー画像キャッシュ部を更に備え、
前記デバイスは、前記動画像をプレビューするときに、前記動画像の前記プレビュー画像が前記キャッシュ内に見つかった場合には、前記キャッシュされたプレビュー画像を表示するように構成されたプレビュー画像表示部を更に備える、
第１１の局面に記載のデバイス。
［第１６の局面］
前記動画像は表現パッケージ内の動的表現を含み、前記表現パッケージのインストールファイルは前記動画表現に対応し、前記指定フレーム番号として用いられるビルトインフレーム番号を含む、
第１１の局面に記載のデバイス。
［第１７の局面］
表現パッケージを表示するデバイスであって、前記表現パッケージは、いくつかのフレームの静止画像データを備える少なくとも１つの動的表現を有し、前記デバイスは：
指定フレーム番号を持った少なくとも１つのフレームの静止画像データを表示対象の動的表現から抽出するように構成された表現データ抽出部と；
前記抽出した静止画像データを用いて前記動的表現を表示するように構成された表現データ表示部と；を備える、
表現パッケージを表示するデバイス。
［第１８の局面］
前記指定フレーム番号は、前記インターネットから取得した前記動的表現の発行されたフレーム番号、前記表現パッケージ内に備えられた前記動的表現のビルトインフレーム番号、又は、デフォルトのフレーム番号を含む、
第１７の局面に記載のデバイス。
［第１９の局面］
前記デバイスは表現指定フレーム番号部を更に備え、
前記表現指定フレーム番号部は、前記動的表現の前記発行されたフレーム番号を、予め設定されたアドレスに基づいて前記インターネットから取得し、前記指定フレーム番号として機能させ、前記動画像の前記発行されたフレーム番号を取得できない場合には、前記表現パッケージ内に含まれた前記動的表現の前記ビルトインフレーム番号を前記指定フレーム番号として用い、又、前記動的表現の前記ビルトインフレーム番号が見つからない場合には、前記デフォルトのフレーム番号を前記動的表現の前記指定フレーム番号として用いるように構成された、
第１８の局面に記載のデバイス。
［第２０の局面］
前記デバイスは、前記動的表現に対応するプレビュー表現を、前記抽出した静止画像データに従って生成し、前記生成したプレビュー表現をキャッシュするように構成されたプレビュー表現キャッシュ部を更に備え、
前記デバイスは、前記表示対象の動的表現に対応するプレビュー表現が前記キャッシュ内に見つかった場合には、前記プレビュー表現を用いて前記動的表現を表示するように構成されたプレビュー表現表示部を更に備える、
第１７の局面に記載のデバイス。